(57)【要約】追跡電源を備える電力増幅器のためのシステムおよび方法が記載されている。電力増幅器はエンベロープトラッキングを使用しうる。電力増幅器の出力が短絡または過負荷である時、電力増幅器は保護される。
2021535649.tif 000002
【特許請求の範囲】
【請求項１】
線形電力増幅器出力と同様の追跡電源出力を生成するように構成された追跡電源であって、前記追跡電源が正電圧レールおよび負電圧レールに連結されている、前記追跡電源と、
前記追跡電源出力および前記正電圧レールに連結された第一の電圧オフセット電源と、
前記追跡電源出力および前記負電圧レールに連結された第二の電圧オフセット電源と、
前記第一の電圧オフセット電源の出力に連結され、かつ前記線形電力増幅器の正電源入力に連結された第一のダイオードと、
第二の電圧オフセット電圧電源の出力に連結され、かつ前記線形電力増幅器の負電源入力に連結された第二のダイオードと、
負荷に連結された前記線形電力増幅器の出力と、を備える装置。
【請求項２】
前記第一のダイオードが、前記第一の電圧オフセット電源の前記出力から前記線形電力増幅器の前記正電源入力に電流を伝導するように構成されている、請求項１に記載の装置。
【請求項３】
前記第二のダイオードが、前記線形電力増幅器の前記負電源入力から前記第二の電圧オフセット電圧電源の前記出力に電流を伝導するように構成されている、請求項１に記載の装置。
【請求項４】
前記第一の電圧オフセット電源および前記第二の電圧オフセット電源が、前記追跡電源出力と直列に接続されている、請求項１に記載の装置。
【請求項５】
前記第一の電圧オフセット電源および前記第二の電圧オフセット電源が、同様の出力を有する定電圧源である、請求項１に記載の装置。
【請求項６】
前記正電圧レールと接地の間に連結された第一のデカップリングコンデンサと、前記負電圧レールと前記接地の間に連結された第二のデカップリングコンデンサとをさらに備える、請求項１に記載の装置。
【請求項７】
前記第一のデカップリングコンデンサが、前記第一のダイオードと前記線形電力増幅器の前記正電源入力との間に連結されている、請求項６に記載の装置。
【請求項８】
前記第二のデカップリングコンデンサが、前記第二のダイオードと前記線形電力増幅器の前記負電源入力との間に連結されている、請求項６に記載の装置。
【請求項９】
線形電力増幅器出力と同様の追跡電源出力を生成する追跡電源であって、前記追跡電源が正電圧レールおよび負電圧レールに連結されている、前記追跡電源と、
前記追跡電源出力および前記正電圧レールに連結された第一の電圧オフセット電源と、
前記追跡電源出力および前記負電圧レールに連結された第二の電圧オフセット電源と、
前記第一の電圧オフセット電源の出力に連結され、かつ前記線形電力増幅器の正電源入力に連結された第一のスイッチと、
前記第二の電圧オフセット電圧電源の出力に連結され、かつ前記線形電力増幅器の負電源入力に連結された第二のスイッチと、
負荷電流を有する負荷に連結された前記線形電力増幅器の出力と、を備える装置。
【請求項１０】
前記第一のスイッチが、前記負荷電流が正の時に閉じて、前記第一の電圧オフセット電源の前記出力から前記線形電力増幅器の前記正電源入力に電流を伝導するように構成されている、請求項９に記載の装置。
【請求項１１】
前記第二のスイッチが、前記負荷電流が負の時に閉じて、前記線形電力増幅器の前記負電源入力から前記第二の電圧オフセット電圧電源の前記出力に電流を伝導するように構成されている、請求項９に記載の装置。
【請求項１２】
前記第一の電圧オフセット電源および前記第二の電圧オフセット電源が、前記追跡電源出力と直列に接続されている、請求項９に記載の装置。
【請求項１３】
前記第一の電圧オフセット電源および前記第二の電圧オフセット電源が、同様の出力を有する定電圧源である、請求項９に記載の装置。
【請求項１４】
前記正電圧レールと接地の間に連結された第一のデカップリングコンデンサと、前記負電圧レールと前記接地の間に連結された第二のデカップリングコンデンサとをさらに備える、請求項９に記載の装置。
【請求項１５】
前記第一のデカップリングコンデンサが、前記第一のスイッチと前記線形電力増幅器の前記正電源入力との間に連結されている、請求項１４に記載の装置。
【請求項１６】
前記第二のデカップリングコンデンサが、前記第二のスイッチと前記線形電力増幅器の前記負電源入力との間に連結されている、請求項１４に記載の装置。
【請求項１７】
追跡電源を正電圧レールおよび負電圧レールに連結することであって、前記追跡電源が線形電力増幅器出力と同様の追跡電源出力を生成するように構成されている、連結することと、
第一の電圧オフセット電源を前記追跡電源出力および前記正電圧レールに連結することと、
第二の電圧オフセット電源を前記追跡電源出力および前記負電圧レールに連結することと、
第一のダイオードを、前記第一の電圧オフセット電源の出力および前記線形電力増幅器の正電源入力に連結することと、
第二のダイオードを、前記第二の電圧オフセット電圧電源の出力および前記線形電力増幅器の負電源入力に連結することと、
負荷に連結するように前記線形電力増幅器を構成することと、を含む、方法。
【請求項１８】
前記第一のダイオードが、前記第一の電圧オフセット電源の前記出力から前記線形電力増幅器の前記正電源入力に電流を伝導するように構成されている、請求項１７に記載の方法。
【請求項１９】
前記第二のダイオードが、前記線形電力増幅器の前記負電源入力から前記第二の電圧オフセット電圧電源の前記出力に電流を伝導するように構成されている、請求項１７に記載の方法。
【請求項２０】
第一のデカップリングコンデンサを前記正電圧レールと接地の間に連結することと、
第二のデカップリングコンデンサを前記負電圧レールと前記接地の間に連結することと、をさらに含む、請求項１７に記載の方法。
【発明の詳細な説明】
【技術分野】
【０００１】
関連出願の相互参照
本出願は、２０１８年８月１３日に出願された米国仮特許出願第６２／７１８，２２６号の利益を主張するものであり、その出願の内容は参照により、その全体が本明細書に明示的に組み込まれる。
【０００２】
本開示は、追跡電源を備える電力増幅器に関する。
【背景技術】
【０００３】
電力増幅器は、電圧および／または電流信号を増幅する装置である。電力増幅器の一例は、追跡電源（ＴＰＳ）から電力を受け取る電力増幅器である。ＴＰＳは、電力増幅器の出力と最小必要ヘッドルームを加算したものに相当する電圧を生成し、これは電力増幅器の効率を高める。しかし、電力増幅器の出力が短絡または過負荷である場合、ＴＰＳは短絡または過負荷と一致するように試み、これは電力増幅器またはＴＰＳに損傷をもたらしうる。電力増幅器およびＴＰＳへの損傷を防ぐ一つの方法は、ＴＰＳをシャットダウンすることである。しかし、そうすると、電力増幅器のダウンタイムにつながり、電力増幅器の動作範囲が減少する。これらの欠点およびその他の欠点は、本明細書に記載のアプローチによって対処される。
【発明の概要】
【０００４】
以下の一般的な説明および以下の詳細な説明は、いずれも例示的かつ説明的なものにすぎず、制限的なものではないことが理解されよう。電力増幅器の出力が短絡または過負荷である時、電力増幅器を保護するためのシステム、装置、および方法が提供されている。
【０００５】
例示的実施形態において、装置は、線形電力増幅器の出力と同様の出力を生成する追跡電源を有する。追跡電源は、正電圧レールおよび負電圧レールに接続されてもよい。装置はまた、追跡電源出力および正電圧レールに接続された電圧オフセット電源を有する。装置は、追跡電源出力および負電圧レールに接続された別の電圧オフセット電源をさらに有する。装置はまた、電圧オフセット電源の出力に接続された、かつ線形電力増幅器の正電源入力に接続されたダイオードを有する。加えて、装置はまた、第二の電圧オフセット電圧電源の出力に接続された、かつ線形電力増幅器の負電源入力に接続された別のダイオードを有する。線形電力増幅器の出力は、負荷に接続されうる。
【０００６】
別の例示的実施形態において、装置は、線形電力増幅器の出力と同様の出力を生成する追跡電源を有する。追跡電源は、正電圧レールおよび負電圧レールに接続されてもよい。装置はまた、追跡電源出力および正電圧レールに接続された電圧オフセット電源を有する。装置は、追跡電源出力および負電圧レールに接続された別の電圧オフセット電源をさらに有する。装置はまた、電圧オフセット電源の出力に接続された、かつ線形電力増幅器の正電源入力に接続されたスイッチを有する。加えて、装置はまた、第二の電圧オフセット電圧電源の出力に接続された、かつ線形電力増幅器の負電源入力に接続された別のスイッチを有する。線形電力増幅器の出力は、負荷に接続されうる。
【０００７】
別の例示的実施形態において、方法は、追跡電源を正電圧レールおよび負電圧レールに接続することを含む。追跡電源は、線形電力増幅器出力と同様の出力を生成しうる。方法はまた、第一の電圧オフセット電源を、追跡電源出力および正電圧レールに接続することを含む。方法は、第二の電圧オフセット電源を、追跡電源出力および負電圧レールに接続することをさらに含む。加えて、方法は、ダイオードを第一の電圧オフセット電源の出力および線形電力増幅器の正電源入力に接続することを含む。方法はまた、別のダイオードを第二の電圧オフセット電圧電源の出力および線形電力増幅器の負電源入力に接続することを含む。方法はまた、線形電力増幅器の出力を負荷に接続することを含む。
【０００８】
追加の利点は、以下の説明で部分的に記載されるか、または実践によって学習することができる。それらの利点は、添付の特許請求の範囲で具体的に指摘されている要素および組み合わせによって実現され、かつ達成されるであろう。
【図面の簡単な説明】
【０００９】
本明細書に組み込まれ、かつその一部を構成する添付の図面は実施例を示し、この説明とともに方法およびシステムの原理を説明するのに役立つ。
【図１】図１は、装置の一実施例である。
【図２】図２は、電圧波形および電流波形の実施例図である。
【図３】図３は、電圧波形および電流波形の実施例図である。
【図４】図４は、電圧波形および電流波形の実施例図である。
【図５】図５は、電圧波形および電流波形の実施例図である。
【図６】図６は、装置の一実施例である。
【図７】図７は、例示的方法のフローチャートである。
【発明を実施するための形態】
【００１０】
本方法およびシステムが開示および説明される前に、本方法およびシステムは、特定の方法、特定の構成要素、または特定の実装に限定されないことが理解されるべきである。本明細書で使用される用語は、特定の実施例のみを説明する目的のためのものであり、限定することを意図するものではないことも理解されるべきである。
【００１１】
本明細書および添付の特許請求の範囲で使用される場合、単数形の「一つの（ａ）」、「一つの（ａｎ）」、および「その（ｔｈｅ）」は、文脈によって明確に別の規定が示されない限り、複数の参照を含む。本明細書において、範囲は「およその」一つの特定の値から、および／または「およその」別の特定の値までであるとして表現される場合がある。そのような範囲が表現される場合、別の実施例では、一つの特定の値からおよび／または他の特定の値までの範囲が含まれる。同様に、値が近似値として表現される場合、先行する「およそ」の使用によって、特定の値が別の実施例を形成することが理解されるであろう。範囲の各々の端点は、他の端点との関連において、および他の端点とは独立して、有意であることがさらに理解されるであろう。
【００１２】
「任意選択的」または「任意選択的に」という用語は、後に説明される事象または状況が生じる場合もあり、または生じない場合もあることを意味し、また、その説明が先述の事象または状況が生じる実施例および生じない実施例を含むことを意味する。
【００１３】
本明細書の説明および特許請求の範囲を通して、単語「含む（ｃｏｍｐｒｉｓｅ）」ならびに「含む（ｃｏｍｐｒｉｓｉｎｇ）」および「含む（ｃｏｍｐｒｉｓｅｓ）」などのその単語の変化形は、「含むが、限定されない」を意味し、例えば他の構成要素、整数または工程を除外することを意図するものではない。「例示的」とは、「の実施例」を意味し、好ましいまたは理想的な実施例を示唆することを意図していない。「など」は、制限的な意味で使用されず、説明の目的で使用される。
【００１４】
本明細書には、記載された方法およびシステムを実施するために使用されうる構成要素が記載されている。これらの構成要素および他の構成要素が本明細書に記載されていて、これらの構成要素の組み合わせ、サブセット、相互作用、群などが記載される時、これらの各様々な個別および集合的な組み合わせおよび並べ替えの具体的な参照が明示的に記載されない場合があるが、すべての方法およびシステムについて、各々は本明細書に具体的に意図され、かつ記載されていることが理解される。これは、記載された方法の工程を含むがこれに限定されない、本出願のすべての実施例に適用される。それ故に、実施しうる様々な追加的な工程がある場合、これらの追加的な工程の各々は、記載の方法の任意の特定の実施例または実施例の組み合わせを用いて実施してもよいことが理解される。
【００１５】
本方法およびシステムは、好ましい実施例の以下の説明およびそこに含まれる実施例、ならびに図およびそれらの前後の説明を参照することによって、より容易に理解されうる。
【００１６】
方法、システム、装置、およびコンピュータプログラム製品のブロック図およびフローチャートを参照して、方法およびシステムを以下に説明する。ブロック図およびフローチャートの各ブロック、ならびにブロック図中およびフローチャート中のブロックの組み合わせはそれぞれ、コンピュータプログラム命令によって実装されうることが理解されよう。これらのコンピュータプログラム命令は、コンピュータまたは他のプログラム可能なデータ処理装置上で実行される命令が、フローチャートブロック（複数可）に明記された機能を実装するための手段を作り出すように、汎用コンピュータ、専用コンピュータ、または他のプログラム可能なデータ処理装置上に読み込まれて、機械を生産しうる。
【００１７】
これらのコンピュータプログラム命令はまた、コンピュータ可読メモリに記憶された命令が、フローチャートブロック（複数可）に明記された機能を実装するためのコンピュータ可読命令を含む製造品を生産するように、コンピュータまたは他のプログラム可能なデータ処理装置を、特定の様態で機能するように命令しうるコンピュータ可読メモリに記憶されてもよい。コンピュータまたは他のプログラム可能な装置上で実行される命令が、フローチャートブロック（複数可）に明記された機能を実装するための工程を提供するように、コンピュータプログラム命令はまた、コンピュータまたは他のプログラム可能なデータ処理装置上に読み込まれて、コンピュータまたは他のプログラム可能な装置上で一連の動作工程を実行させ、コンピュータによって実装されるプロセスを生成してもよい。
【００１８】
よって、ブロック図およびフローチャートのブロックは、明記された機能を実行するための手段の組み合わせ、明記された機能を実行するための工程の組み合わせ、および明記された機能を実行するためのプログラム命令手段を支持する。また、ブロック図およびフローチャートの各ブロック、ならびにブロック図中およびフローチャート中のブロックの組み合わせは、明記された機能または工程を実行する専用のハードウェアベースのコンピュータシステムによって、または専用のハードウェアおよびコンピュータ命令の組み合わせによって実装されうることも理解されるであろう。
【００１９】
一態様において、短絡中に増幅器を保護する回路は、正Ｖ＋および負Ｖ−の２つの電圧レールによって供給された負荷に接続された線形電力増幅器を備え、それが要求出力電圧を生成する。回路はまた、電力増幅器の出力電圧（例えば、追跡電源（ＴＰＳ））、ＶＴＰＳに等しい可変供給電圧を生成するコンバータを有する。回路は、ＶＴＰＳ＋ΔＶオフセットおよびＶＴＰＳ−ΔＶオフセットを得るために、ＴＰＳと直列に組み合わされた等電圧ΔＶオフセットの２つの定電圧源を有する。回路はまた、ＶＴＰＳ＋ΔＶオフセットからＶ＋に電流を伝導するために配置された一つのダイオードを有する。回路は、Ｖ−からＶＴＰＳ−ΔＶオフセットに電流を伝導するように配置された別のダイオードを有する。回路は、Ｖ＋と接地の間、ならびにＶ−と接地の間に配置された２つのデカップリングコンデンサを有してもよい。
【００２０】
一態様において、短絡中に増幅器を保護する回路は、正Ｖ＋およびＶ−の２つの電圧レールによって供給された負荷に接続された線形電力増幅器を備え、それが要求出力電圧を生成する。回路はまた、電力増幅器の出力電圧（例えば、追跡電源（ＴＰＳ））、ＶＴＰＳに等しい可変供給電圧を生成するコンバータを有する。回路は、ＶＴＰＳ＋ΔＶオフセットおよびＶＴＰＳ−ΔＶオフセットを得るために、ＴＰＳと直列に組み合わされた等電圧ΔＶオフセットの２つの定電圧源を有する。回路はまた、ＶＴＰＳ＋ΔＶオフセットとＶ＋の間に配置された一つのスイッチを有する。回路は、Ｖ−とＶＴＰＳ−ΔＶオフセットの間に配置された別のスイッチを有する。回路は、Ｖ＋と接地の間、ならびにＶ−と接地の間に配置された２つのデカップリングコンデンサを有してもよい。回路はまた、負荷電流に基づいてスイッチのための制御信号を生成する制御回路を有してもよい。
【００２１】
図１は、装置１００の一実施例を図示する。一態様において、短絡および／または過負荷の場合に、装置１００は電力増幅器１０４および／または追跡電源（ＴＰＳ）１０２を保護する。示される通り、装置１００は、ＴＰＳ１０２、電力増幅器１０４、および負荷１０６を有する。ＴＰＳ１０２は、接地接続１０８、ならびに第一のオフセット電源１１０および第二のオフセット電源１１２と接続されている。ＴＰＳ１０２は、オフセット電源１１０、１１２と直列に接続されてもよい。ＴＰＳ１０２は、第一のオフセット電源１１０およびダイオード１１４を介して、増幅器１０４の正電圧レール１０３と連結および／または接続されることができる。さらに、ＴＰＳ１０２は、第二のオフセット電源１１２およびダイオード１１６を介して、増幅器１０４の１０５を介して負電圧レールに連結および／または接続されることができる。一態様において、オフセット電源１１０、１１２は、ＴＰＳ１０２の出力を一定量だけ増加または減少させる定電圧電源である。例えば、第一のオフセット電源１１０は、正電圧量（例えば、＋１Ｖ、＋５Ｖ、＋２５Ｖなど）だけ正レール上のＴＰＳ１０２の出力を増加させる。別の言い方をすれば、第一のオフセット電源１１０は、正電圧レール１０３上のＴＰＳ１０２の出力に電力を加える。別の例として、第二のオフセット電源１１２は、負電圧量（例えば、−１Ｖ、−５Ｖ、−２５Ｖなど）だけ負レール１０５上のＴＰＳ１０２の負出力を増加させる。別の言い方をすれば、第二のオフセット電源１１２は、負電圧レール１０５上のＴＰＳ１０２の出力から電力を加える。
【００２２】
示される通り、第一のオフセット電源１１０は、ダイオード１１４と接続および／または連結されている。第一のオフセット電源１１０は、ダイオード１１４の陽極と直列に接続されることができる。ダイオード１１４の陰極は、コンデンサ１１８と連結および／または接続されることができる。一態様において、コンデンサ１１８はバイパスコンデンサである。コンデンサ１１８は、接地１１８と直列に接続されることができる。コンデンサ１１８は、任意の合理的な静電容量を有することができる。コンデンサ１１８の静電容量は、ＴＰＳ１０２および／または増幅器１０４のサイズに依存しうる。示される通り、ダイオード１１４の陰極は、電力増幅器１０４の正電源入力（例えば、正レール１０３）と直列に接続されている。
【００２３】
示される通り、第二のオフセット電源１１２は、ダイオード１１６と接続および／または連結されている。第二のオフセット電源１１２は、ダイオード１１６の陰極と直列に接続されることができる。ダイオード１１６の陽極は、コンデンサ１２０と連結および／または接続されることができる。一態様において、コンデンサ１２０はバイパスコンデンサである。コンデンサ１２０は、接地１２０と直列に接続されることができる。コンデンサ１２０は、任意の合理的な静電容量を有することができる。コンデンサ１２０の静電容量は、ＴＰＳ１０２および／または増幅器１０４のサイズに依存しうる。示される通り、ダイオード１１６の陽極は、電力増幅器１０４の負電源入力（例えば、負レール１０５）と直列に接続されている。
【００２４】
示される通り、電力増幅器１０４は、第一のトランジスタ１２２および第二のトランジスタ１２４を備える。一態様において、電力増幅器１０４は線形電力増幅器である。トランジスタ１２２、１２４は、それぞれのダイオード１２６と並列に接続されている。具体的に、トランジスタ１２２はそれぞれのダイオード１２６ａを有し、トランジスタ１２４はそれぞれのダイオード１２６ｂを有する。トランジスタ１２２、１２４は、電力増幅器１０４の段トランジスタとすることができる。例えば、トランジスタ１２２、１２４は、トランジスタ１２２、１２４のうちの一つが電力を生成しない一方で、他方のトランジスタが電力を生成するように、対向段トランジスタであってもよい。それ故に、トランジスタ１２２、１２４はそれぞれ、増幅器１０４のために一つの電力段で電力を生成することができる。電力増幅器１０４は、負荷１０６と直列に接続されている。負荷１０６は接地１０８と連結されることができる。説明を容易にするために示されていないが、当業者であれば、装置１００のそれぞれの部品のそれぞれに関連する電流、電圧、およびインピーダンスがありうることを理解するであろう。例えば、負荷１０６は、負荷電流、負荷電圧、および負荷インピーダンスを有することができる。
【００２５】
一態様において、ＴＰＳ１０２は、電力増幅器１０４の出力電圧に等しい電圧を生成する。一態様において、ＴＰＳ１０２は、アクティブである電力増幅器１０４のトランジスタ（例えば、トランジスタ１２２、１２４）にのみ電力を供給する。例えば、負荷１０６電流が正の時、トランジスタ１２２はアクティブであり、負荷１０６電流が負である時、トランジスタ１２４はアクティブである。短絡中、ダイオード１１４、１１６は、正レール１０３と負レール１０５の両方上の同じ方向の電流の流れを防止する。電流が一方向のみに流れることを可能にすることによって、トランジスタ１２２、１２４のうちの一つのみが、短絡状態または電流制限モードで電流を伝導する。
【００２６】
一態様において、負荷１０６の電流が正値から負値に切り替わる時、トランジスタ１２２は伝導を停止し、ダイオード１１４はオフになる。さらに、ダイオード１１４およびトランジスタ１２２がオフになると、コンデンサ１１８は、ダイオード１１４およびトランジスタ１２２から実質的に切断される。一態様において、コンデンサ１１８は、負荷１０６電流がゼロに達した瞬間に、正供給レールが有していたＶｓ＋＝Ｖ負荷＋ΔＶオフセット（ＶＴＰＳ＝Ｖ負荷として）の値に充電されたままとなる。さらに、負荷１０６電流が正電流から負電流に遷移すると、ダイオード１１４およびコンデンサ１１８は、Ｖ負荷＋ΔＶオフセット電圧のピーク検出器の機能を果たしうる。負荷１０６電流が負になると、電流はトランジスタ１２４およびダイオード１１６を通って流れ始める。
【００２７】
一態様において、ダイオード１１４は、負荷１０６に供給されている電流が正値から負値に切り替わる時、短絡が発生するのを防止する。例えば、負荷１０６の電流が正値から負値に切り替わる時、ダイオード１１４を通る電流は停止する。さらに、当業者によって理解される通り、ダイオード１１４の物理的能力によって、ダイオード１１４は、任意の負電流がダイオード１１４を通って移動すること、およびＴＰＳ１０２に到達することを防止する。それ故に、ダイオード１１４は、正電圧レール１０３を介して電力増幅器１０４からＴＰＳ１０２に負電流が流れるのを防止することによって、ＴＰＳ１０２および電力増幅器１０４に損傷が生じるのを防止する。
【００２８】
一態様において、負荷１０６電流が負値から正値に切り替わる時、トランジスタ１２４は導電を停止し、ダイオード１１６はオフになる。さらに、ダイオード１１６およびトランジスタ１２４がオフになった時に、コンデンサ１２０はダイオード１１６およびトランジスタ１２４から実質的に切断される。一態様において、コンデンサ１２０は、負荷１０６電流がゼロに達した瞬間に負供給レールが有していたＶｓ−＝Ｖ負荷＋ΔＶオフセット（ＶＴＰＳ＝Ｖ負荷として）の値に充電されたままとなる。さらに、負荷１０６電流が負から正に遷移する時、ダイオード１１６およびコンデンサ１２０は、Ｖ負荷＋ΔＶオフセット電圧のピーク検出器として機能しうる。負荷１０６電流が正になると、電流はトランジスタ１２２およびダイオード１１４を通って流れ始める。
【００２９】
一態様において、ダイオード１１６は、負荷１０６に供給されている電流が負値から正値に切り替わる時、短絡が発生するのを防止する。例えば、負荷１０６の電流が負値から正値に切り替わる時、ダイオード１１６を通る電流は停止する。さらに、当業者によって理解される通り、ダイオード１１６の物理的能力によって、ダイオード１１６は、任意の正電流がダイオード１１６を通って移動すること、および電力増幅器１０４に到達することを防止する。それ故に、ダイオード１１６は、負電圧レール１０５を介してＴＰＳ１０２から電力増幅器１０４に正電流が流れるのを防止することによって、ＴＰＳ１０２および電力増幅器１０４に損傷が生じるのを防止する。
【００３０】
図２は、電圧波形および電流波形の実施例図２００を図示する。具体的に、電圧および電流波形２００は、トランジスタ１２２が伝導する（例えば、正の負荷１０６電流がある）瞬間の間に、負荷１０６電圧が単調に減少する時のシナリオ下で、ダイオード１１４がどのようにオフおよびオンにされるかを図示する。説明を容易にするために、ΔＶオフセットはゼロに等しいが、当業者であれば、ΔＶオフセットは任意の値でありうることを理解するであろう。示される通り、トランジスタ１２２およびダイオード１１４は、時間ｔ１まで負荷１０６電流を伝導する。時間ｔ１にて、負荷１０６電流は正値から負値になる。それ故に、時間ｔ１にて、ダイオード１１４はオフになり、コンデンサ１１８は、（Ｖ負荷＋ΔＶオフセット）（ｔ１）と等しい電圧で充電されたままになる。コンデンサ１１８は、負荷１０６電流が正になる時間ｔ２まで充電されたままとなる。一態様において、（Ｖ負荷＋ΔＶオフセット）（ｔ１）がＶ負荷（ｔ２）よりも高いため、ダイオード１１４はオフのままであり、負荷１０６電流は、時間ｔ３までコンデンサ１１８を放電し、負荷電圧が（Ｖ負荷＋ΔＶオフセット）（ｔ１）に等しい時、ダイオード１１４は再び伝導を開始する。これが起こると、ＴＰＳ１０２は負荷１０６電流を提供、かつ正供給レールを調節し始める。説明を容易にするために図２は、ダイオード１１４、コンデンサ１１８、およびトランジスタ１２２を参照して説明されている一方で、当業者であれば、ダイオード１１６、コンデンサ１２０、およびトランジスタ１２４は同様の様態で動作するが、電圧および電流の極性が切り替わっていることを認識するであろう。
【００３１】
図３は、電圧波形および電流波形の実施例図３００を図示する。具体的に、図３００は、トランジスタ１２２が伝導する（例えば、正の負荷１０６電流がある）瞬間の間に負荷１０６電圧が動的に変化する時に、ダイオード１１４がどのようにオフおよびオンにされるかを図示する。示される通り、トランジスタ１２２は、時間（ｔ１）まで伝導する。時間（ｔ１）にて、トランジスタ１２２はオフになるが、ダイオード１１４は動作し続ける。また、時間（ｔ１）にて、トランジスタ１２４およびダイオード１１６はオンになる。時間（ｔ１）から時間（ｔ２）まで、Ｖ負荷およびＶ負荷＋ΔＶオフセットが増加すると、ダイオード１１４はコンデンサ１１８の充電を行う。時間（ｔ２）から時間（ｔ３）まで、Ｖ負荷＋ΔＶオフセットは、（Ｖ負荷＋ΔＶオフセット）（ｔ２）よりも高い値に達せず、ＶＳ＋は変化しない。それ故に、時間（ｔ２）から時間（ｔ３）まで、ダイオード１１４は伝導しない。時間（ｔ４）にて、トランジスタ１２２は再び伝導を開始し、ダイオード１１４も同様に伝導を開始する。説明を容易にするために図３は、ダイオード１１４、コンデンサ１１８、およびトランジスタ１２２を参照して説明されている一方で、当業者であれば、ダイオード１１６、コンデンサ１２０、およびトランジスタ１２４は同様の様態で動作するが、電圧および電流の極性が切り替わっていることを認識するであろう。
【００３２】
図４は、電圧波形および電流波形の実施例図４００を図示する。具体的に、図４００は、電力増幅器が抵抗負荷を駆動する時に短絡が生成される場合、ダイオード１１４および１１６がどのようにオンおよびオフにされるかを図示する。短絡は（ｔ１）にて発生し、短絡電流は、電力増幅器基準のため負荷電流が方向を変化させる瞬間（ｔ２）までダイオード１１４を介して伝導される。（ｔ２）から（ｔ４）まで、短絡電流はダイオード１１６を通過する。（ｔ４）にて、電力増幅器基準は、負から正に変化し、負荷電流は正に変化する。ダイオード１１４は次に、再び短絡電流を伝導する。（ｔ５）にて、短絡が除去され、ダイオード１１４は、出力電圧（例えば、抵抗負荷）に比例した負荷電流を伝導する。阻止電圧などの追加の波形は、理解を深めるために示されている。
【００３３】
図５は、電圧波形および電流波形の実施例図５００を図示する。具体的に、図５００は、電力増幅器が容量性負荷を駆動する時に短絡が生成される場合、ダイオード１１４および１１６がどのようにオンおよびオフにされるかを図示する。短絡は（ｔ１）にて発生し、短絡電流は、電力増幅器の電圧基準がゼロに達する瞬間（ｔ２）までダイオード１１４を通して伝導される。（ｔ３）にて、電力増幅器の電圧基準は再び正となり、短絡電流はダイオード１１４によって伝導される。（ｔ４）にて、短絡が除去され、装置は通常モードで動作を開始する。阻止電圧などの追加の波形は、理解を深めるために示されている。
【００３４】
図６は、装置６００の一実施例である。一態様において、短絡および／または過負荷の場合に、装置６００は電力増幅器６０４および／または追跡電源（ＴＰＳ）６０２を保護する。示される通り、装置６００は、ＴＰＳ６０２、電力増幅器６０４、および負荷６０６を有する。ＴＰＳ６０２は、接地接続６０８、ならびに第一のオフセット電源６１０および第二のオフセット電源６１２と接続されている。ＴＰＳ６０２は、オフセット電源６１０、６１２と直列に接続されてもよい。ＴＰＳ６０２は、正電圧レール６０３を介して、第一のオフセット電源６１０と連結および／または接続されることができる。さらに、ＴＰＳ６０２は、負電圧レール６０５を介して、第二のオフセット電源６１２に連結および／または接続されることができる。一態様において、オフセット電源６１０、６１２は、ＴＰＳ６０２の出力を一定量だけ増加または減少させる定電圧電源である。例えば、第一のオフセット電源６１０は、正電圧量（例えば、＋１Ｖ、＋５Ｖ、＋２５Ｖなど）だけ正レール６０３上のＴＰＳ６０２の出力を増加させる。別の言い方をすれば、第一のオフセット電源６１０は、正電圧レール６０３上のＴＰＳ６０２の出力に電力を加える。別の例として、第二のオフセット電源６１２は、負電圧量（例えば、−１Ｖ、−５Ｖ、−２５Ｖなど）だけ負レール６０５上のＴＰＳ６０２の負出力を増加させる。別の言い方をすれば、第二のオフセット電源６１２は、負電圧レール６０５上のＴＰＳ６０２の出力から電力を加える。
【００３５】
示される通り、第一のオフセット電源６１０は、スイッチ６１４と接続および／または連結されている。第一のオフセット電源６１０は、スイッチ６１４と直列に接続されることができる。スイッチ６１４は、コンデンサ６１８と連結および／または接続されることができる。一態様において、コンデンサ６１８はデカップリングコンデンサである。コンデンサ６１８は、接地６０８と直列に接続されることができる。コンデンサ６１８は、任意の合理的な静電容量を有することができる。コンデンサ６１８の静電容量は、ＴＰＳ６０２および／または増幅器６０４のサイズに依存しうる。示される通り、スイッチ６１４は、電力増幅器６０４の正電源入力（例えば、正レール）と直列に接続されている。
【００３６】
示される通り、第二のオフセット電源６１２は、スイッチ６１６と接続および／または連結されている。第二のオフセット電源６１２は、スイッチ６１６と直列に接続されることができる。スイッチ６１６は、コンデンサ６２０と連結および／または接続されることができる。一態様において、コンデンサ６２０はデカップリングコンデンサである。コンデンサ６２０は、接地６０８と直列に接続されることができる。コンデンサ６２０は、接地６０８と直列に接続されることができる。コンデンサ６２０は、任意の合理的な静電容量を有することができる。コンデンサ６２０の静電容量は、ＴＰＳ６０２および／または増幅器６０４のサイズに依存しうる。示される通り、スイッチ６１６は、電力増幅器６０４の負電源入力（例えば、負レール）と直列に接続されている。
【００３７】
示される通り、電力増幅器６０４は、第一のトランジスタ６２２および第二のトランジスタ６２４を備える。一態様において、電力増幅器６０４は線形電力増幅器である。トランジスタ６２２、６２４は、それぞれのダイオード６２６と並列に接続されている。具体的に、トランジスタ６２２はそれぞれのダイオード６２６ａを有し、トランジスタ６２４はそれぞれのダイオード６２６ｂを有する。トランジスタ６２２、６２４は、電力増幅器６０４の段トランジスタとすることができる。例えば、トランジスタ６２２、６２４は、トランジスタ６２２、６２４のうちの一つが電力を生成しない一方で、他方のトランジスタが電力を生成するように、対向段トランジスタであってもよい。それ故に、トランジスタ６２２、６２４はそれぞれ、増幅器６０４のために一つの電力段で電力を生成することができる。電力増幅器６０４は、負荷６０６と直列に接続されている。負荷６０６は接地６０８と連結されることができる。説明を容易にするために示されていないが、当業者であれば、装置６００のそれぞれの部品のそれぞれに関連する電流、電圧、およびインピーダンスがありうることを理解するであろう。例えば、負荷６０６は、負荷電流、負荷電圧、および負荷インピーダンスを有することができる。
【００３８】
一態様において、ＴＰＳ６０２は、電力増幅器６０４の出力電圧に等しい電圧を生成する。一態様において、ＴＰＳ６０２は、アクティブである電力増幅器６０４のトランジスタにのみ電力を供給する。例えば、負荷６０６電流が正の時、トランジスタ６２２はアクティブであり、負荷６０６電流が負である時、トランジスタ６２４はアクティブである。短絡中、スイッチ６１４、６１６は、正レール６０３と負レール６０５の両方上の同じ方向の電流の流れを防止する。電流が一方向のみに流れることを可能にすることによって、トランジスタ６２２、６２４のうちの一つのみが、短絡状態または電流制限モードであっても電流を伝導する。
【００３９】
一態様において、スイッチ６１４、６１６は制御可能なスイッチである。例えば、スイッチの制御信号は、負荷６０６電流の符号から生成される。一態様において、スイッチ６１４、６１６の制御論理は、負荷電流測定値および一組のコンパレータを含む。例として、負荷６０６電流が正の時、スイッチ６１４は閉じていて、トランジスタ６２２は伝導している。電流が正の時、スイッチ６１６は開いていて、トランジスタ６２４は伝導していない。別の例として、負荷６０６電流が正の時、スイッチ６１６は閉じていて、トランジスタ６２４は伝導している。電流が負の時、スイッチ６１４は開いていて、トランジスタ６２２は伝導していない。このように、スイッチ６１４、６１６は、図１のダイオード１１４、１１６と同様に、短絡イベント中にダイオード６２６を通る電流の伝導を防止する。
【００４０】
一態様において、負荷６０６電流が正値から負値に切り替わる時、トランジスタ６２２は電気の伝導を停止し、スイッチ６１４は開いて、スイッチ６１４を通して電流が流れるのを防ぐ。さらに、スイッチ６１４が開いていて、トランジスタ６２２がオフの時、コンデンサ６１８は、スイッチ６１４およびトランジスタ６２２から実質的に切断される。負荷６０６電流が負になると、電流はトランジスタ６２４およびスイッチ６１６を通って流れ始める。
【００４１】
一態様において、スイッチ６１４は、負荷６０６に供給されている電流が正値から負値に切り替わる時、短絡が発生するのを防止する。例えば、負荷６０６の電流が正値から負値に切り替わる時、スイッチ６１４は開き、電流はスイッチ６１４を通って流れるのを停止する。それ故に、スイッチ６１４は、負電流がスイッチ６１４を通って移動すること、およびＴＰＳ６０２に到達することを防止する。それ故に、スイッチ６１４は、正電圧レール６０３を介して電力増幅器６０４からＴＰＳ６０２に負電流が流れるのを防止することによって、ＴＰＳ６０２および電力増幅器６０４に損傷が生じるのを防止する。
【００４２】
一態様において、負荷６０６電流が負値から正値に切り替わる時、トランジスタ６２４は電気の伝導を停止し、スイッチ６１６は開いて、スイッチ６１６を通して電流が流れるのを防ぐ。さらに、コンデンサ６２０は、スイッチ６１６が開いていて、トランジスタ６２４がオフの時、スイッチ６１４およびトランジスタ６２２から実質的に切断される。負荷６０６電流が正になると、電流はトランジスタ６２２およびスイッチ６１４を通って流れ始める。
【００４３】
一態様において、スイッチ６１６は、負荷６０６に供給されている電流が負値から正値に切り替わる時に、短絡が発生するのを防止する。例えば、負荷６０６の電流が負値から正値に切り替わる時、スイッチ６１６が開き、電流がスイッチ６１６を通って流れるのを停止する。それ故に、スイッチ６１６は、負電流がスイッチ６１６を通って移動すること、およびＴＰＳ６０２に到達することを防止する。それ故に、スイッチ６１６は、負電圧レール６０５を介して電力増幅器６０４からＴＰＳ６０２に正電流が流れるのを防止することによって、ＴＰＳ６０２および電力増幅器６０４に損傷が生じるのを防止する。
【００４４】
図７は、例示的方法７００のフローチャートである。７１０にて、追跡電源（例えば、ＴＰＳ１０２、６０２）は、正電圧レールおよび負電圧レールに連結されている。追跡電源は、線形電力増幅器出力と同様の追跡電源出力を生成するように構成されることができる。
【００４５】
７２０にて、第一の電圧オフセット電源（例えば、オフセット電圧電源１１０、１１２、６１０、６１０）は、追跡電源および正電圧レールに連結されている。第一の電圧オフセット電源は、追跡電源出力と直列に接続されることができる。第一の電圧オフセット電源は、定電圧源を含むことができる。第一の電圧オフセット電源は、第二の電圧オフセット電源と同様の出力を有しうる。
【００４６】
７３０にて、第二の電圧オフセット電源（例えば、オフセット電圧電源１１０、１１２、６１０、６１０）は、追跡電源および負電圧レールに連結されている。第二の電圧オフセット電源は、追跡電源出力と直列に接続されることができる。第二の電圧オフセット電源は、定電圧源を含むことができる。第二の電圧オフセット電源は、第二の電圧オフセット電源と同様の出力を有しうる。
【００４７】
７４０にて、第一のダイオード（例えば、ダイオード１１４、１１６）は、第一の電圧オフセット電源の出力と、線形電力増幅器（例えば、電力増幅器１０４、６０４）の正電源入力とに連結されている。一態様において、ダイオードは、追跡電源、または電力増幅器、またはその両方における短絡または過負荷イベントを防止するように構成されている。第一のダイオードは、第一の電圧オフセット電源の出力から線形電力増幅器の正電源入力に電流を伝導するように構成されることができる。
【００４８】
加えて、第一のダイオードは、スイッチ（例えば、スイッチ６１４、６１６）で置き換えることができる。例えば、第一のスイッチは、第一の電圧オフセット電源の出力に連結され、かつ線形電力増幅器の正電源入力に連結されることができる。第一のスイッチは、負荷電流が正の時に閉じて、第一の電圧オフセット電源の出力から線形電力増幅器の正電源入力に電流を伝導するように構成されることができる。
【００４９】
７５０で、第二のダイオード（例えば、ダイオード１１４、１１６）は、第二の電圧オフセット電源の出力と、線形電力増幅器（例えば、電力増幅器１０４、６０４）の負電源入力とに連結されている。一態様において、ダイオードは、追跡電源、または電力増幅器、またはその両方における短絡または過負荷イベントを防止するように構成されている。第二のダイオードは、線形電力増幅器の負電源入力から第二の電圧オフセット電圧電源の出力に電流を伝導するように構成されることができる。第二のスイッチは、負荷電流が負の時に閉じて、線形電力増幅器の負電源入力から第二の電圧オフセット電圧電源の出力に電流を伝導するように構成されている。
【００５０】
加えて、第二のダイオードは、スイッチ（例えば、スイッチ６１４、６１６）で置き換えることができる。例えば、第二のスイッチは、第二の電圧オフセット電圧電源の出力に連結され、かつ線形電力増幅器の負電源入力に連結されることができる。
【００５１】
７６０にて、線形電力増幅器は、負荷（例えば、負荷１０６、６０６）に連結するように構成されている。加えて、第一のデカップリングコンデンサは、正電圧レールと接地の間に連結されてもよく、第二のデカップリングコンデンサは、負電圧レールと接地の間に連結されてもよい。第一のデカップリングコンデンサは、第一のダイオードと線形電力増幅器の正電源入力との間に連結されることができる。第二のデカップリングコンデンサは、第二のダイオードと線形電力増幅器の負電源入力との間に連結されることができる。
【００５２】
方法およびシステムを、具体的な実施例に関連して説明してきたが、本明細書の実施例は、制限的ではなく可能性のある実施例であるようにあらゆる点において意図されているので、記載された特定の実施例に範囲が限定されることを意図していない。
【００５３】
別途明示的に記載されない限り、本明細書に記載のいずれの方法も、その工程が特定の順序で実施されることを要求していると解釈されることは決して意図されていない。従って、方法の請求項が、その工程が従うべき順序を実際に列挙していない場合、または工程が特定の順序に限定されることを特許請求の範囲または説明において別途具体的に記載されていない場合、いかなる点においても、順序が推測されることは決して意図されていない。これは、工程の配設または操作フローに関する論理的な問題、文法的な構成または句読点に由来する平易な意味、明細書に記載の実施例の数またはタイプを含む、解釈のためのあらゆる可能性のある不明確な根拠にも当てはまる。
【００５４】
範囲または趣旨から逸脱することなく、様々な修正および変形を成しうることが、当業者には明らかであろう。他の実施例は、明細書および本明細書に記載の実施の検討から当業者には明らかであろう。明細書および実施例は、単に例示的なものとして考慮され、真の範囲および精神は、以下の特許請求の範囲によって示されることが意図されている。
【００５５】
例示的な実施形態
実施形態１：線形電力増幅器出力と同様の追跡電源出力を生成するように構成された追跡電源を備え、追跡電源が正電圧レールおよび負電圧レールに連結されている装置。第一の電圧オフセット電源は、追跡電源出力および正電圧レールに連結されることができる。第二の電圧オフセット電源は、追跡電源出力および負電圧レールに連結されることができる。第一のダイオードは、第一の電圧オフセット電源の出力に連結され、かつ線形電力増幅器の正電源入力に連結されることができる。第二のダイオードは、第二の電圧オフセット電圧電源の出力に連結され、かつ線形電力増幅器の負電源入力に連結されることができる。負荷に連結された線形電力増幅器の出力。
【００５６】
実施形態２：追跡電源が、線形電力増幅器の出力を追跡および／または追従する追跡電源出力を生成するように構成されている、実施形態１に記載の実施形態。
実施形態３：追跡電源出力が線形電力増幅器出力を追跡および／または追従する、実施形態１または実施形態２に記載の実施形態。
【００５７】
実施形態４：第一のダイオードが、第一の電圧オフセット電源の出力から線形電力増幅器の正電源入力に電流を伝導するように構成されている、実施形態１〜３のいずれか一つに記載の実施形態。
【００５８】
実施形態５：第二のダイオードが、線形電力増幅器の負電源入力から第二の電圧オフセット電圧電源の出力に電流を伝導するように構成されている、実施形態１〜４のいずれか一つに記載の実施形態。
【００５９】
実施形態６：第一の電圧オフセット電源および第二の電圧オフセット電源が、追跡電源出力と直列に接続されている、実施形態１〜５のいずれか一つに記載の実施形態。
実施形態７：第一の電圧オフセット電源および第二の電圧オフセット電源が、同様の出力を有する定電圧源である、実施形態１〜６のいずれか一つに記載の実施形態。
【００６０】
実施形態８：正電圧レールと接地の間に連結された第一のデカップリングコンデンサと、負電圧レールと接地の間に連結された第二のデカップリングコンデンサとをさらに備える、実施形態１〜７のいずれか一つに記載の実施形態。
【００６１】
実施形態９：第一のデカップリングコンデンサが、第一のダイオードと線形電力増幅器の正電源入力との間に連結されている、実施形態８に記載の実施形態。
実施形態１０：第二のデカップリングコンデンサが、第二のダイオードと線形電力増幅器の負電源入力との間に連結されている、実施形態８〜９のいずれか一つに記載の実施形態。
【００６２】
実施形態１１：線形電力増幅器出力と同様の追跡電源出力を生成する追跡電源を備える、装置。追跡電源は、正電圧レールおよび負電圧レールに連結されることができる。第一の電圧オフセット電源は、追跡電源出力および正電圧レールに連結されることができる。第二の電圧オフセット電源は、追跡電源出力および負電圧レールに連結されることができる。第一のスイッチは、第一の電圧オフセット電源の出力に連結され、かつ線形電力増幅器の正電源入力に連結されることができる。第二のスイッチは、第二の電圧オフセット電圧電源の出力に連結され、かつ線形電力増幅器の負電源入力に連結されることができる。線形電力増幅器の出力は、負荷電流を有する負荷に連結されることができる。
【００６３】
実施形態１２：追跡電源が、線形電力増幅器の出力を追跡および／または追従する追跡電源出力を生成するように構成されている、実施形態１１に記載の実施形態。
実施形態１３：追跡電源出力が線形電力増幅器出力を追跡および／または追従する、実施形態１１または実施形態１２に記載の実施形態。
【００６４】
実施形態１４：第一のスイッチが、負荷電流が正の時に閉じて、第一の電圧オフセット電源の出力から線形電力増幅器の正電源入力に電流を伝導するように構成されている、実施形態１１〜１３のいずれか一つに記載の実施形態。
【００６５】
実施形態１５：第二のスイッチが、負荷電流が負の時に閉じて、線形電力増幅器の負電源入力から第二の電圧オフセット電圧電源の出力に電流を伝導するように構成されている、実施形態１１〜１４のいずれか一つに記載の実施形態。
【００６６】
実施形態１６：第一の電圧オフセット電源および第二の電圧オフセット電源が、追跡電源出力と直列に接続されている、実施形態１１〜１５のいずれか一つに記載の実施形態。
実施形態１７：第一の電圧オフセット電源および第二の電圧オフセット電源が、同様の出力を有する定電圧源である、実施形態１１〜１６のいずれか一つに記載の実施形態。
【００６７】
実施形態１８：正電圧レールと接地の間に連結された第一のデカップリングコンデンサと、負電圧レールと接地の間に連結された第二のデカップリングコンデンサとをさらに備える、実施形態１１〜１７のいずれか一つに記載の実施形態。
【００６８】
実施形態１９：第一のデカップリングコンデンサが、第一のスイッチと線形電力増幅器の正電源入力との間に連結されている、実施形態１８に記載の実施形態。
実施形態２０：第二のデカップリングコンデンサが、第二のスイッチと線形電力増幅器の負電源入力との間に連結されている、実施形態１８または１９に記載の実施形態。
【００６９】
実施形態２１：追跡電源を、正電圧レールおよび負電圧レールに連結することを含む方法。追跡電源は、線形電力増幅器出力と同様の追跡電源出力を生成するように構成されることができる。方法はまた、第一の電圧オフセット電源を、追跡電源出力および正電圧レールに連結することを含む。方法は、第二の電圧オフセット電源を、追跡電源出力および負電圧レールに連結することをさらに含む。また、方法は、第一のダイオードを、第一の電圧オフセット電源の出力および線形電力増幅器の正電源入力に連結することを含む。さらに、方法は、第二のダイオードを、第二の電圧オフセット電圧電源の出力および線形電力増幅器の負電源入力に連結することを含む。加えて、方法は、負荷に連結するように線形電力増幅器を構成することを含む。
【００７０】
実施形態２２：第一のダイオードが、第一の電圧オフセット電源の出力から線形電力増幅器の正電源入力に電流を伝導するように構成されている、実施形態２１に記載の実施形態。
【００７１】
実施形態２３：第二のダイオードが、線形電力増幅器の負電源入力から第二の電圧オフセット電圧電源の出力に電流を伝導するように構成されている、実施形態２１〜２２のいずれか一つに記載の実施形態。
【００７２】
実施形態２４：方法が、正電圧レールと接地の間に第一のデカップリングコンデンサを連結することと、負電圧レールと接地の間に第二のデカップリングコンデンサを連結することとをさらに含む、実施形態２１〜２３のいずれか一つに記載の実施形態。
【図１】
2021535649.tif 000003
【図２】
2021535649.tif 000004
【図３】
2021535649.tif 000005
【図４】
2021535649.tif 000006
【図５】
2021535649.tif 000007
【図６】
2021535649.tif 000008
【図７】
2021535649.tif 000009
【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
線形電力増幅器出力と同様の追跡電源出力を生成するように構成された追跡電源であって、前記追跡電源が正電圧レールおよび負電圧レールに連結されている、前記追跡電源と、
前記追跡電源出力および前記正電圧レールに連結された第一の電圧オフセット電源と、
前記追跡電源出力および前記負電圧レールに連結された第二の電圧オフセット電源と、
前記第一の電圧オフセット電源の出力に連結され、かつ前記線形電力増幅器の正電源入力に連結された第一のダイオードと、
前記第二の電圧オフセット電源の出力に連結され、かつ前記線形電力増幅器の負電源入力に連結された第二のダイオードと、
負荷に連結された前記線形電力増幅器の出力と、を備える装置。
【請求項２】
前記第一のダイオードが、前記第一の電圧オフセット電源の前記出力から前記線形電力増幅器の前記正電源入力に電流を伝導するように構成されている、請求項１に記載の装置。
【請求項３】
前記第二のダイオードが、前記線形電力増幅器の前記負電源入力から前記第二の電圧オフセット電源の前記出力に電流を伝導するように構成されている、請求項１に記載の装置。
【請求項４】
前記第一の電圧オフセット電源および前記第二の電圧オフセット電源が、前記追跡電源出力と直列に接続されている、請求項１に記載の装置。
【請求項５】
前記第一の電圧オフセット電源および前記第二の電圧オフセット電源が、同様の出力を有する定電圧源である、請求項１に記載の装置。
【請求項６】
前記正電圧レールと接地の間に連結された第一のデカップリングコンデンサと、前記負電圧レールと前記接地の間に連結された第二のデカップリングコンデンサとをさらに備える、請求項１に記載の装置。
【請求項７】
前記第一のデカップリングコンデンサが、前記第一のダイオードと前記線形電力増幅器の前記正電源入力との間に連結されている、請求項６に記載の装置。
【請求項８】
前記第二のデカップリングコンデンサが、前記第二のダイオードと前記線形電力増幅器の前記負電源入力との間に連結されている、請求項６に記載の装置。
【請求項９】
線形電力増幅器出力と同様の追跡電源出力を生成する追跡電源であって、前記追跡電源が正電圧レールおよび負電圧レールに連結されている、前記追跡電源と、
前記追跡電源出力および前記正電圧レールに連結された第一の電圧オフセット電源と、
前記追跡電源出力および前記負電圧レールに連結された第二の電圧オフセット電源と、
前記第一の電圧オフセット電源の出力に連結され、かつ前記線形電力増幅器の正電源入力に連結された第一のスイッチと、
前記第二の電圧オフセット電源の出力に連結され、かつ前記線形電力増幅器の負電源入力に連結された第二のスイッチと、
負荷電流を有する負荷に連結された前記線形電力増幅器の出力と、を備える装置。
【請求項１０】
前記第一のスイッチが、前記負荷電流が正の時に閉じて、前記第一の電圧オフセット電源の前記出力から前記線形電力増幅器の前記正電源入力に電流を伝導するように構成されている、請求項９に記載の装置。
【請求項１１】
前記第二のスイッチが、前記負荷電流が負の時に閉じて、前記線形電力増幅器の前記負電源入力から前記第二の電圧オフセット電源の前記出力に電流を伝導するように構成されている、請求項９に記載の装置。
【請求項１２】
前記第一の電圧オフセット電源および前記第二の電圧オフセット電源が、前記追跡電源出力と直列に接続されている、請求項９に記載の装置。
【請求項１３】
前記第一の電圧オフセット電源および前記第二の電圧オフセット電源が、同様の出力を有する定電圧源である、請求項９に記載の装置。
【請求項１４】
前記正電圧レールと接地の間に連結された第一のデカップリングコンデンサと、前記負電圧レールと前記接地の間に連結された第二のデカップリングコンデンサとをさらに備える、請求項９に記載の装置。
【請求項１５】
前記第一のデカップリングコンデンサが、前記第一のスイッチと前記線形電力増幅器の前記正電源入力との間に連結されている、請求項１４に記載の装置。
【請求項１６】
前記第二のデカップリングコンデンサが、前記第二のスイッチと前記線形電力増幅器の前記負電源入力との間に連結されている、請求項１４に記載の装置。
【請求項１７】
追跡電源を正電圧レールおよび負電圧レールに連結することであって、前記追跡電源が線形電力増幅器出力と同様の追跡電源出力を生成するように構成されている、連結することと、
第一の電圧オフセット電源を前記追跡電源出力および前記正電圧レールに連結することと、
第二の電圧オフセット電源を前記追跡電源出力および前記負電圧レールに連結することと、
第一のダイオードを、前記第一の電圧オフセット電源の出力および前記線形電力増幅器の正電源入力に連結することと、
第二のダイオードを、前記第二の電圧オフセット電源の出力および前記線形電力増幅器の負電源入力に連結することと、
負荷に連結するように前記線形電力増幅器を構成することと、を含む、方法。
【請求項１８】
前記第一のダイオードが、前記第一の電圧オフセット電源の前記出力から前記線形電力増幅器の前記正電源入力に電流を伝導するように構成されている、請求項１７に記載の方法。
【請求項１９】
前記第二のダイオードが、前記線形電力増幅器の前記負電源入力から前記第二の電圧オフセット電源の前記出力に電流を伝導するように構成されている、請求項１７に記載の方法。
【請求項２０】
第一のデカップリングコンデンサを前記正電圧レールと接地の間に連結することと、
第二のデカップリングコンデンサを前記負電圧レールと前記接地の間に連結することと、をさらに含む、請求項１７に記載の方法。
【国際調査報告】
2021535649.tif 000010